(57)【要約】【課題】消費者自身が、直接、陶磁器製品に絵付けを行なうことを可能にする陶磁器製品絵付けユニットおよび陶磁器製品の製造方法を提供する。【解決手段】陶磁器製品絵付けユニットは、素焼き飲料カップ（１）と、飲料カップ上に絵付けをするための絵付けセット（６０）と、飲料カップおよび絵付けセットを収容する包装箱とを備える。包装箱は、底壁、４個の側壁および開閉可能な天壁を有する箱本体（１０）と、箱本体の底壁上に置かれ、飲料カップの底部を受け入れて位置決めする底部受入れ穴（２１）を有する底枠部材（２０）と、飲料カップの上部開口内に嵌め入れられる内側嵌め入れ部（３１ａ、３２ａ）、および箱本体の側壁の内面に当接する当接部（３１ｂ、３２ｂ）を含み、飲料カップの上部を側壁および天壁から離して位置決めする上部位置決め部材（３０）とを備える。絵付けセットは、絵付け液入り容器（６１）と、絵付け用筆（６２）とを備える。【選択図】図２
2015066705.tif 000002
【特許請求の範囲】
【請求項１】
素焼き飲料カップと、前記素焼き飲料カップ上に絵付けをするための絵付けセットと、前記素焼き飲料カップおよび前記絵付けセットを収容する包装箱とを備え、
前記包装箱は、
底壁、４個の側壁および開閉可能な天壁を有する箱本体と、
前記箱本体の底壁上に置かれ、前記素焼き飲料カップの底部を受け入れて位置決めする底部受入れ穴を有する底枠部材と、
前記素焼き飲料カップの上部開口内に嵌め入れられる内側嵌め入れ部、および前記箱本体の側壁の内面に当接する当接部を含み、前記素焼き飲料カップの上部を前記側壁および前記天壁から離して位置決めする上部位置決め部材と、を備え、
前記絵付けセットは、絵付け液入り容器と、絵付け用筆とを備える、陶磁器製品絵付けユニット。
【請求項２】
前記包装箱は、前記上部位置決め部材と、前記天壁との間に配置されて、前記上部位置決め部材の上方への移動を規制する上枠部材をさらに備える、請求項１に記載の陶磁器製品絵付けユニット。
【請求項３】
前記底枠部材および前記上枠部材は、整列した位置に、前記絵付け用筆の軸部分を受け入れる筆受入れ穴を有する、請求項２に記載の陶磁器製品絵付けユニット。
【請求項４】
前記絵付けセットは、下書き用鉛筆、表面擦り具および試し描き用素焼き物をさらに備える、請求項１〜３のいずれかに記載の陶磁器製品絵付けユニット。
【請求項５】
前記絵付け液入り容器、前記下書き用鉛筆、前記表面擦り具および前記試し描き用素焼き物は、共通の袋に入って前記上枠部材上に置かれる、請求項４に記載の陶磁器製品絵付けユニット。
【請求項６】
前記絵付けセットは、絵付け部分の剥がれを防止する糊をさらに備える、請求項４または５に記載の陶磁器製品絵付けユニット。
【請求項７】
前記上部位置決め部材の当接部は、前記箱本体の４つの角部に当接する、請求項１〜６のいずれかに記載の陶磁器製品絵付けユニット。
【請求項８】
前記上部位置決め部材は、２個のＴ字形状の板材を十字状に交差させた構造を有し、前記Ｔ字形状の縦部分が前記内側嵌め入れ部を形成し、水平部分が前記当接部を形成する、請求項７に記載の陶磁器製品絵付けユニット。
【請求項９】
陶磁器製造者が請求項１〜８のいずれかに記載の陶磁器製品絵付けユニットを用意する工程と、
陶磁器製造者が用意した前記陶磁器製品絵付けユニットを消費者に届ける工程と、
消費者が、前記陶磁器製品絵付けユニットを開梱して、前記素焼き飲料カップに絵付けを行う工程と、
消費者が、前記陶磁器製品絵付けユニットの箱本体、底枠部材、上部位置決め部材を再利用して絵付け完了後の素焼き飲料カップを前記包装箱内に収容し、製造者に届ける工程と、
陶磁器製造者が、絵付け完了後の素焼き飲料カップを焼成して陶磁器製品に仕上げ、包装を施して消費者に届ける工程とを備える、陶磁器製品の製造方法。
【請求項１０】
陶磁器製造者が前記陶磁器製品絵付けユニットを用意する工程は、前記素焼き飲料カップ上に、消費者による絵付けを禁止する領域を明示しておくことを含む、請求項９に記載の陶磁器製品の製造方法。
【請求項１１】
消費者による絵付けを禁止する領域は、前記底枠部材に当接して擦れる部分である、請求項１０に記載の陶磁器製品の製造方法。
【請求項１２】
前記絵付け完了後の素焼き飲料カップを焼成するのに先立ち、陶磁器製造者が、絵付け完了後の素焼き飲料カップに釉薬を塗布する工程をさらに備える、請求項９〜１１のいずれかに記載の陶磁器製品の製造方法。
【発明の詳細な説明】
【技術分野】
【０００１】
この発明は、消費者自身が自筆により絵や文字等の絵付けを施した陶磁器製品を製造する方法及びその方法に使用する絵付けユニットに関するものである。
【背景技術】
【０００２】
本願発明と同一の出願人は、特開２０１３−３５２５０号公報（特許文献１）において、消費者が自ら創作した表意文字が描き込まれた表意文字入り製品を簡単に入手することができる表意文字入り製品の製造方法を開示した。
【０００３】
この方法は、製造者側と消費者側とが作業を分担するものであって、以下の工程を備える。
（ａ）製造者側において、製品本体を準備する工程。
（ｂ）製造者側において、所定の外形寸法を有する表意文字記入枠が記された注文シートを準備する工程。
（ｃ）消費者側において、表意文字記入枠内に消費者の発意に係る表意文字を書き込む工程。
（ｄ）製造者側において、製品本体側に表意文字を転写する工程。
（ｅ）製造者側において、輪郭線に囲まれた領域に、他の領域と区別し得る識別痕を形成する工程。
（ｆ）製造された表意文字入り製品を包装する工程。
【０００４】
上記方法によれば、消費者は、表意文字を注文シートに記載するという極めて簡単な作業を行うことによって、自らの筆跡による表意文字が忠実に転写された表意文字入り製品を入手することができる。
【先行技術文献】
【特許文献】
【０００５】
【特許文献１】特開２０１３−３５２５０号公報
【発明の概要】
【発明が解決しようとする課題】
【０００６】
上記の方法では、消費者は、注文シートに直接自らの発意に係る表意文字を書き込むが、陶磁器製品への表意文字の転写は消費者ではなく製造者が行う。消費者の中には、消費者自身が、直接、陶磁器製品に表意文字や絵等の絵付けを行なうことを望む場合がある。
【０００７】
本発明は、このような消費者の願望を満たすためになされたものであり、その目的は、消費者自身が、直接、陶磁器製品に絵付けを行なうことを可能にする陶磁器製品絵付けユニットおよび陶磁器製品の製造方法を提供することである。
【課題を解決するための手段】
【０００８】
本発明に従った陶磁器製品絵付けユニットは、素焼き飲料カップと、素焼き飲料カップ上に絵付けをするための絵付けセットと、素焼き飲料カップおよび絵付けセットを収容する包装箱とを備える。
【０００９】
包装箱は、箱本体と、底枠部材と、上部位置決め部材とを備える。箱本体は、底壁、４個の側壁および開閉可能な天壁を有する。底枠部材は、箱本体の底壁上に置かれ、素焼き飲料カップの底部を受け入れて位置決めする底部受入れ穴を有する。上部位置決め部材は、素焼き飲料カップの上部開口内に嵌め入れられる内側嵌め入れ部、および箱本体の側壁の内面に当接する当接部を含み、素焼き飲料カップの上部を側壁および天壁から離して位置決めする。絵付けセットは、絵付け液入り容器と、絵付け用筆とを備える。
【００１０】
好ましくは、包装箱は、上部位置決め部材と、天壁との間に配置されて、上部位置決め部材の上方への移動を規制する上枠部材をさらに備える。この場合、好ましくは、底枠部材および上枠部材は、整列した位置に、絵付け用筆の軸部分を受け入れる筆受入れ穴を有する。
【００１１】
絵付けセットは、下書き用鉛筆、表面擦り具および試し描き用素焼き物をさらに備えていても良い。この場合、好ましくは、絵付け液入り容器、下書き用鉛筆、表面擦り具および試し描き用素焼き物は、共通の袋に入って上枠部材上に置かれる。絵付けセットは、さらに、絵付け部分の剥がれを防止する糊を備えていても良い。
【００１２】
上部位置決め部材の当接部は、好ましくは、箱本体の４つの角部に当接する。一つの実施形態では、上部位置決め部材は、２個のＴ字形状の板材を十字状に交差させた構造を有し、Ｔ字形状の縦部分が内側嵌め入れ部を形成し、水平部分が当接部を形成する。
【００１３】
本発明に従った陶磁器製品の製造方法は、以下の工程を備える。
（ａ）陶磁器製造者が上記のいずれかに記載の陶磁器製品絵付けユニットを用意する工程。
（ｂ）陶磁器製造者が用意した陶磁器製品絵付けユニットを消費者に届ける工程。
（ｃ）消費者が、陶磁器製品絵付けユニットを開梱して、素焼き飲料カップに絵付けを行う工程。
（ｄ）消費者が、陶磁器製品絵付けユニットの箱本体、底枠部材、上部位置決め部材を再利用して絵付け完了後の素焼き飲料カップを包装箱内に収容し、製造者に届ける工程。
（ｅ）陶磁器製造者が、絵付け完了後の素焼き飲料カップを焼成して陶磁器製品に仕上げ、包装を施して消費者に届ける工程。
【００１４】
好ましくは、陶磁器製造者が陶磁器製品絵付けユニットを用意する工程は、素焼き飲料カップ上に、消費者による絵付けを禁止する領域を明示しておくことを含む。消費者による絵付けを禁止する領域は、典型的には、底枠部材に当接して擦れる部分である。
【００１５】
絵付け完了後の素焼き飲料カップを焼成するのに先立ち、陶磁器製造者が、絵付け完了後の素焼き飲料カップに釉薬を塗布する工程をさらに備えていても良い。
【発明の効果】
【００１６】
上記の特徴的な構成を備える本発明によれば、消費者自身が、直接、陶磁器製品に絵付けを行なった陶磁器製品の完成品を容易に得ることができる。
【図面の簡単な説明】
【００１７】
【図１】本発明の一実施形態に係る陶磁器製品の製造方法の流れを示す図である。
【図２】本発明の一実施形態に係る陶磁器製品絵付けユニットの分解斜視図である。
【図３】図２に示した陶磁器製品絵付けユニットの組立後の状態を示す斜視図である。
【図４】素焼き飲料カップの一例を示す正面図である。
【図５】試し描き用素焼き物に絵付けを行なった一例を示す平面図である。
【図６】本発明の一実施形態に係る包装部材の外観図である。
【図７】図６に示した包装部材を用いた包装作業の途中状態を示す図である。
【図８】包装された陶磁器製品を示す斜視図である。
【発明を実施するための形態】
【００１８】
［製造方法の特徴］
本発明の方法の特徴は、製造者が素焼き飲料カップを製造して消費者に送り、消費者が自ら素焼き飲料カップ上に直接絵付けをして製造者に送り、製造者が絵付け済みの素焼き飲料カップを焼成して包装し、それを消費者に届けることにある。
【００１９】
図１を参照して、本発明に係る陶磁器製品の製造方法の一実施形態をより詳しく説明する。
【００２０】
素焼き飲料カップを成形する設備を有し、または素焼き飲料カップを焼成する窯を有する製造者は、素焼き飲料カップ、絵付けセットおよび包装箱を含む陶磁器製品絵付けユニットを用意する。そして、素焼き飲料カップおよび絵付けセットを包装箱に収容して消費者宛に発送する。郵送や配送に代えて、直接、製造者から消費者に手渡ししても良い。
【００２１】
消費者は、製造者から届けられた陶磁器製品絵付けユニットを開梱し、絵付けセットを用いて素焼き飲料カップ上に直接、文字、絵、記号等の絵付けを行なう。絵付けが完了したら、消費者は、製造者から送られてきた最初の包装箱内に絵付け完了後の素焼き飲料カップを収容し、製造者宛に発送する。この場合も、郵送や配送に代えて、直接、消費者から製造者に手渡してもよい。
【００２２】
製造者は、包装箱から絵付け完了後の素焼き飲料カップを取り出し、窯で焼成し、飲料カップ製品を完成させる。焼成に先立ち、絵付け完了後の素焼き飲料カップに釉薬を塗布しても良い。製造者は、完成した飲料カップ製品を包装し、消費者に届ける。届ける方法としては、郵送、配送、手渡しのいずれでも良い。
【００２３】
［留意事項］
上記の方法を実施するにあたり、以下の点に留意する必要がある。
【００２４】
まず、第一に、素焼き飲料カップは割れやすいので、製造者から消費者に届くまでの間、及び消費者から製造者に届くまでの間に素焼き飲料カップが割れないようにすること。
【００２５】
第二に、消費者が絵付け作業に必要な道具を自ら用意する手間を省くこと。
【００２６】
第三に、消費者は絵付け作業に不慣れであり、失敗する可能性があること。
【００２７】
第四に、素焼き飲料カップ上の絵付け部分が配送中に擦れて剥がれる可能性があること。
【００２８】
上記の留意事項を考慮して、陶磁器製品絵付けユニットを構成する必要がある。
【００２９】
［陶磁器製品絵付けユニットの説明］
図２は陶磁器製品絵付けユニットの分解斜視図であり、図３は組立後の状態を示す斜視図である。陶磁器製品絵付けユニットは、製造者が用意するものであり、素焼き飲料カップ１と、素焼き飲料カップ１上に絵付けをするための絵付けセット６０と、素焼き飲料カップ１および絵付けセット６０を収容する包装箱とを備える。焼成していない素焼き飲料カップ１は、割れやすいので、運搬時に割れないようにする必要がある。
【００３０】
包装箱は、直方体形状の箱本体１０と、扁平な直方体形状の底枠部材２０と、素焼き飲料カップ１の上部開口内に嵌められる上部位置決め部材３０とを必須の要素として備える。図示した実施形態では、包装箱は、さらに、上枠部材４０と、底板５０とを備えている。
【００３１】
箱本体１０は、底壁１０ａ、４個の側壁１０ｂおよび開閉可能な天壁１０ｃを備える。箱本体１０の材質は、典型的には段ボールであるが、軽量な樹脂等であっても良い。箱本体１０の底壁１０ａ上には、例えば、発泡スチロール等からなる底板５０が配置されている。素焼き飲料カップ１の底面は底板５０上に載る。底板５０の一つの角部を切除した形態にしたのは、所定長さの絵付け用筆６２を立てた状態で箱本体１０上に収めるようにするためである。筆６２の下端部が底板６０を通り越して箱本体１０の底壁１０ａに当接することにより、箱本体１０内の筆６２の上端高さを低くすることができる。
【００３２】
底枠部材２０は、４個の側壁２２と上壁２３とからなる扁平な直方体形状をしており、箱本体１０の底壁１０ａ上に置かれる。底枠部材２０は、箱本体１０の４個の側壁１０ｂによって動かないように位置決めされる。前述した底板５０は、底枠部材２０の４個の側壁２２によって周囲が包囲される。
【００３３】
底枠部材２０の上壁２３は、素焼き飲料カップ１の底部を受け入れて位置決めする底部受け入れ穴２１を有している。素焼き飲料カップ１の横断面形状が円形であるので、底部受け入れ穴２１も円形である。素焼き飲料カップ１の横断面形状が円形以外の形状であれば、底部受け入れ穴２１もそれに対応した形状となる。底部受け入れ穴２１を形成する穴壁面は、素焼き飲料カップ１の下方部分の外面を包囲して、素焼き飲料カップ１が水平方向に動かないようにする。
【００３４】
上部位置決め部材３０は、素焼き飲料カップ１の上部開口内に嵌め入れられる内側嵌め入れ部と、箱本体１０の側壁１０ｂの内面に当接する当接部とを備え、素焼き飲料カップ１の上部を箱本体１０の側壁１０ｂおよび天壁１０ｃから離して位置決めする。
【００３５】
図示した実施形態では、上部位置決め部材３０は、２個のＴ字形状の板材３１、３２を十字状に交差させた構造を有している。２個の板材のＴ字形状の縦部分３１ａ、３２ａは、素焼き飲料カップ１の上部開口内に嵌る内側嵌め入れ部を形成する。また、２個の板材のＴ字形状の水平部分３１ｂ、３２ｂは、箱本体１０の側壁１０ｂの内面に当接する当接部を形成する。素焼き飲料カップ１の上方部分の水平方向の移動を阻止する位置決めを安定して行うために、好ましくは、当接部３１ｂ、３２ｂは、各側壁１０ｂが交わる４個の角部に当接する。
【００３６】
上部位置決め部材３０は、素焼き飲料カップ１の上部開口内に嵌め入れられた状態で、飲料カップ１の上端よりも上方に位置する頂部を有している。この頂部を箱本体１０の天壁１０ｃに当接する高さとなるようにすれば、素焼き飲料カップ１が箱本体１０内で上方に移動するのを抑制できる。
【００３７】
図示した実施形態では、上部位置決め部材３０の頂部を箱本体１０の天壁１０ｃに当接させる代わりに、上枠部材４０を上部位置決め部材３０と天壁１０ｃとの間に配置している。上枠部材４０は、上部位置決め部材３０によって下方から支えられる底壁４２と、底壁４２の３つの側縁から上方に立ち上がる３個の側壁４１を備える。側壁４１は、箱本体１０の天壁１０ｃに当接する高さを有しているので、上部位置決め部材３０の上方への移動を抑制し、結果的に素焼き飲料カップ１の上方への移動を抑制する。
【００３８】
絵付けセット６０は、絵付け作業に必要な必須の要素として、絵付け液入り容器６１と、絵付け用筆６２とを備える。図示した実施形態では、絵付けセット６０は、さらに、下書き用鉛筆６３と、サンドペーパー６４等の表面擦り具と、試し描き用素焼き物６５とを備える。絵付け液入り容器６１、下書き用鉛筆６３、サンドペーパー６４及び試し描き用素焼き物６５は、共通の袋６６に収容されて、上枠部材４０の底壁４２上に置かれる。
【００３９】
図示していないが、絵付けセット６０は、絵付け部分の剥がれを防止するためのスプレー糊等を含んでいても良い。
【００４０】
絵付け用筆６２は長いので、包装箱内に立てた状態で収容される。そのために、底枠部材２４および上枠部材４３は、整列した位置に、絵付け用筆６２の軸部分を受け入れる筆受け入れ穴２４、４３を有する。
【００４１】
製造者は、上記の陶磁器製品絵付けユニットを図３のように組み立てて、消費者に届ける。届ける方法としては、郵送、宅配便による配送、直接の手渡し等のいずれであっても良い。
【００４２】
素焼き飲料カップ１の下方外面部分、具体的には、底枠部材２２の底部受け入れ穴２１を形成する穴壁面に包囲される部分は、運搬時に穴壁面に接触して擦れる。そのため、この領域に絵付け施すと、絵付けした部分が擦れて剥がれる可能性がある。そのような剥がれを防止するために、あらかじめ製造者が素焼き飲料カップ１上に、消費者による絵付けを禁止する領域を明示しておいても良い。図４は、鉛筆を用いて、素焼き飲料カップ１上に絵付け禁止領域を明示した例を示している。鉛筆の芯は炭素でできており、焼成時に燃焼して消失するため、痕跡は残らない。
【００４３】
図４に示した実施形態では、絵付け禁止領域の上端および下端を線で示し、領域内に文章で「この領域には絵付けをしないで下さい」と明記している。明記の仕方に制約はなく、例えば、斜線で絵付け禁止領域を示すようにしても良い。
【００４４】
[消費者による絵付け作業]
消費者は、製造者から届けられた陶磁器製品絵付けユニットを開梱して、包装箱から、素焼き飲料カップ１および絵付けセット６０を取り出す。
【００４５】
絵付け作業を始めて行う消費者、あるいは絵付け作業に不慣れな消費者は、絵付け作業の感触を掴ために、試し描き用素焼き物６５に、絵付け液入り容器６１及び絵付け用筆６２を用いて試し描きをするとよい。図５は、試し描き用素焼き物６５に花の絵を描いたものを示している。
【００４６】
さらに、鉛筆６３を用いて、素焼き飲料カップ１上に、意図する絵や、文字等の下書きをするとよい。鉛筆６３で下書きした痕跡は、後の焼成時に燃焼して消失するので安心して下書きをすることができる。また、下書きを失敗した場合には、サンドペーパー６４で素焼き飲料カップ１の外面を軽くこすれば、鉛筆跡を消すことができる。
【００４７】
最終的に、絵付け液をつけた絵付け用筆６２によって、素焼き飲料カップ１上の鉛筆による下書きをなぞって正式な絵付けを施す。正式な絵付け作業が上手くできなかった場合には、サンドペーパー６４で表面を擦って失敗部分を消去し、やり直せばよい。
【００４８】
消費者は、絵付け禁止領域以外の素焼き飲料カップ１上の任意の領域に絵や文字等を描くことができる。例えば、飲料カップ１の外面上に絵を描き、飲料カップ１の底面にメッセージ等の文字を書き込む。
【００４９】
試し描きや、鉛筆による下書きを行なうことなく、最初から直接、絵付け液をつけた筆６２によって素焼き飲料カップ１に絵付け作業を行なってもよい。
【００５０】
剥がれ防止糊がある場合には、絵付け作業が完了した後に、絵付け部分の表面に糊を塗布または散布する。
【００５１】
消費者は、絵付け作業が完了したら、箱本体１０、底枠部材２０、上部位置決め部材３０、上枠部材４０を再利用して、絵付け完了後の素焼き飲料カップ１を包装箱内に収容し、製造者に届ける。届ける方法としては、郵送、宅配便による配送、直接の手渡し等のいずれであっても良い。
【００５２】
[製造者による陶磁器製品の完成および包装]
製造者は、消費者から届けられた絵付け完了後の素焼き飲料カップ１を取り出し、窯内で焼成して陶磁器製飲料カップとして完成させる。焼成に先立ち、製造者は、絵付け完了後の素焼き飲料カップ１の表面に釉薬を塗布しても良い。
【００５３】
製造者は、完成した陶磁器製飲料カップを包装し、消費者に届ける。届ける方法としては、郵送、宅配便による配送、直接の手渡し等のいずれであっても良い。
【００５４】
包装の形態としては様々なものが考えられるが、一例として、プレゼントとして贈るのに適した包装形態を図６〜図８を用いて以下に説明する。
【００５５】
まず、図６に示すように、中抜きされた四角形状の枠部材７１と、枠部材７１の中抜きを覆うように枠部材７１に張り付けられた透明シート７２とからなる包装部材７０を準備する。そして、図７に示すように、二つの包装部材７０によって、完成した陶磁器製品飲料カップ８０を両側から挟み込み、一方の枠部材７１と他方の枠部材７１とを互いに連結する。その結果、図８に示すように、飲料カップ８０が、包装部材７０によって支持されて包装されることとなる。このような包装形態であれば、飲料カップ８０が透明シート７２によって挟み込まれて浮いた状態で支持されることとなるため、見栄えがし、プレゼントとしての付加価値を高めることができる。
【００５６】
以上、図面を参照して本発明の実施形態を説明したが、本発明は、図示した実施の形態のものに限定されない。図示した実施の形態に対して、本発明と同一の範囲内において、あるいは均等の範囲内において、種々の修正や変形を加えることが可能である。
【００５７】
例えば、製造者と消費者との間に、中間業者が介在する場合もある。この場合、中間業者は、製造者から渡された商品を中継して消費者に渡し、消費者から渡された商品を中継して製造者に渡す。このルートの場合、本願の請求項に記載している「製造者」は、製造者及び中間業者の両者を含むものとなる。
【産業上の利用可能性】
【００５８】
本発明は、消費者の思いを表現する絵付け作業を消費者自身が行い、より専門性が要求される作業を製造者が行うビジネスモデルとして、産業界において有利に利用され得る。
【符号の説明】
【００５９】
１  素焼き飲料カップ、１０  箱本体、１０ａ  底壁、１０ｂ  側壁、１０ｃ  天壁、２０  底枠部材、２１  底部受け入れ穴、２２  側壁、２３  上壁、２４  筆受け入れ穴、３０  上部位置決め部材、３１、３２  Ｔ字形状板材、３１ａ、３２ａ  Ｔ字形状の縦部分、３１ｂ、３２ｂ  Ｔ字形状の水平部分、４０  上枠部材、４１  側壁、４２  底壁、４３  筆受け入れ穴、５０  底板、６０  絵付けセット、６１  絵付け液入り容器、６２  絵付け用筆、６３  下書き用鉛筆、６４  サンドペーパー、６５  試し描き用素焼き物、６６  袋、７０  包装部材、７１  枠部材、７２  透明シート、８０  飲料カップ。
【図１】
2015066705.tif 000003
【図２】
2015066705.tif 000004
【図３】
2015066705.tif 000005
【図４】
2015066705.tif 000006
【図５】
2015066705.tif 000007
【図６】
2015066705.tif 000008
【図７】
2015066705.tif 000009
【図８】
2015066705.tif 000010